(57)【特許請求の範囲】
【請求項１】
幹線光ケーブル（２）の途中でシースが所定の長さ剥離され、露出されたケーブルコア（３）の中の特定の光ファイバ心線が切断され、切断された一方の光ファイバ心線（７ａ）の先端が一方の分岐光ケーブル（８）の光ファイバ心線（９）の余長部（９ａ）の先端に一方の心線接続部（１０）で接続され、切断された他方の光ファイバ心線（７ｂ）の先端が他方の分岐光ケーブル（１１）の光ファイバ心線（１２）の余長部（１２ａ）の先端に他方の心線接続部（１３）で接続され、前記露出されたケーブルコア（３）と一方及び他方の心線接続部（１０）及び（１３）と一方及び他方の光ファイバ心線の余長部（９ａ）及び（１２ａ）とが共通のクロージャケースの中に収納されている光ケーブル後分岐クロージャにおいて、
前記クロージャケース内には、前記一方の心線接続部（１０）と一方の分岐光ケーブル（８）の光ファイバ心線（９）の余長部（９ａ）と前記他方の心線接続部（１３）と他方の分岐光ケーブル（１１）の光ファイバ心線（１２）の余長部（１２ａ）とに対して共通のベーストレイ（１８）が設けられて、該ベーストレイがその長手方向を前記露出されたケーブルコア（３）の長手方向とした状態で前記露出されたケーブルコア（３）に沿って配置され、
前記ベーストレイ（１８）内には、前記一方の心線接続部（１０）を収納する一方の心線接続部収納部（２１）と、一方の分岐光ケーブル（８）の光ファイバ心線（９）の余長部（９ａ）を収納する一方の余長部収納部（２２）と、前記他方の心線接続部（１３）を収納する他方の心線接続部収納部（２３）と、他方の分岐光ケーブルの光ファイバ心線（１２）の余長部（１２ａ）を収納する他方の余長部収納部（２４）とが別個に設けられ、
前記一方の心線接続部収納部（２１）、一方の余長部収納部（２２）、前記他方の心線接続部収納部（２３）及び他方の余長部収納部（２４）は、前記一方の心線接続部収納部（２１）と一方の余長部収納部（２２）及び前記他方の心線接続部収納部（２３）と他方の余長部収納部（２４）がそれぞれ前記ベーストレイ（１８）の長手方向に位置を違えて配置され、かつ前記一方の心線接続部収納部（２１）と他方の余長部収納部（２４）及び前記他方の心線接続部収納部（２３）と一方の余長部収納部（２２）がそれぞれ前記ベーストレイ（１８）の前記長手方向に対して直角な幅方向に並んで配置されるように、それぞれの位置を違えて設けられ、
前記一方の心線接続部収納部（２１）は、前記ベーストレイ（１８）の底面に脚部（２７）を介して支持されて該底面から所定の距離離して配置された一方の心線接続部収納トレイ（２６）上に設けられ、
前記他方の心線接続部収納部（２３）は前記ベーストレイ（１８）の底面に脚部（３０）を介して支持されて該底面から所定の距離離して配置された他方の心線接続部収納トレイ（２９）上に設けられ、
前記一方の心線接続部収納トレイ（２６）を前記ベーストレイ上で前記他方の余長部収納部（２４）と反対側に倒すことができるように前記脚部（２７）にヒンジ部（２８）が設けられ、
前記他方の心線接続部収納トレイ（２９）を前記ベーストレイ上で前記一方の余長部収納部（２２）と反対側に倒すことができるように前記他方の脚部（３０）にヒンジ部（３１）が設けられていること、
を特徴とする光ケーブル後分岐クロージャ。
【請求項２】
前記一方の心線接続部収納トレイ（２６）と前記他方の心線接続部収納トレイ（２９）は前記露出されたケーブルコア（３）に接近させてそれぞれ配置されていることを特徴とする請求項１に記載の光ケーブル後分岐クロージャ。
【請求項３】
前記一方の心線接続部収納部（２１）と前記他方の心線接続部収納部（２３）は前記一方の心線接続部（１０）と前記他方の心線接続部（１３）の配置位置を前記露出されたケーブルコア（３）の長手方向に沿って変更可能な長さをもっていることを特徴とする請求項１または２に記載の光ケーブル後分岐クロージャ。
【請求項４】
前記一方の心線接続部収納部（２１）及び前記他方の心線接続部収納部（２３）は、前記ベーストレイ（１８）上でそれぞれ前記ケーブルコア（３）の長手方向に沿って移動可能な構造を有していることを特徴とする請求項１または２に記載の光ケーブル後分岐クロージャ。
【請求項５】
前記ベーストレイ（１８）は、前記露出されたケーブルコア（３）の長手方向の一端側及び他端側で前記幹線光ケーブル（２）に固定されている連結部材（１６）に対して前記ベーストレイの幅方向にスライド可能に支持されていることを特徴とする請求項１，２，３または４に記載の光ケーブル後分岐クロージャ。
【発明の詳細な説明】
【０００１】
【発明の属する技術分野】
本発明は、布設されている幹線光ケーブルの途中でシースを所定の長さ剥離して構成される光ケーブル後分岐クロージャに関するものである。
【０００２】
【従来の技術】
従来の光ケーブル後分岐クロージャは、図１１（Ａ）〜（Ｃ）及び図１２に示す構造になっていた。ここで、図１１（Ａ）（Ｂ）は従来の光ケーブル後分岐クロージャの平面図及び正面図、図１１（Ｃ）は図１１（Ｂ）のＹ−Ｙ線断面図、図１２はトレイ内での心線接続部と光ファイバ心線の余長の収納状態を示す平面図である。
【０００３】
図示のように幹線光ケーブル１は、その長手方向の途中でシース２が所定の長さ剥離されてケーブルコア３が露出されている。従来の光ケーブル後分岐クロージャは、露出されたケーブルコア３を貫通させて収納するケーブルコア収納部４と、該ケーブルコア収納部４に段積みされて蝶番５で開閉自在に連結された複数のトレイ６とを備えている。露出されたケーブルコア３では、その中に収容されていた特定の光ファイバ心線が切断され、切断された一方の光ファイバ心線７ａの先端が一方の分岐光ケーブル８の光ファイバ心線９の余長部９ａの先端に一方の心線接続部１０で接続され、切断された他方の光ファイバ心線７ｂの先端が他方の分岐光ケーブル１１の光ファイバ心線１２の余長部１２ａの先端に他方の心線接続部１３で接続され、心線接続部１０，１３とこれに連なる余長部９ａ，１２ａは共通のトレイ６に一緒に収納されている。ケーブルコア収納部４と各トレイ６とは、図示しない共通のクロージャケースの中に収納されている。
【０００４】
この場合、ケーブルコア３は長手方向に沿ったスペーサロッド１４を備え、このスペーサロッド１４の外周に周方向に所定間隔で開口させて長手方向に沿って設けられた各溝に光ファイバ心線がそれぞれ収容された構造になっている。
【０００５】
ケーブルコア収納部４は、露出されたケーブルコア３の長手方向の両側で幹線光ケーブル１にクランプ具１５でそれぞれ固定されている連結部材１６と、この連結部材１６の長手方向の途中に固設された複数の角筒状の台座１７とで構成されていて、角筒状の台座１７内には露出されたケーブルコア３が通されている。
【０００６】
各トレイ６は、複数の台座１７の上に蝶番５で幅方向の片側が開閉自在となるように段積みされている。
【０００７】
【発明が解決しようとする課題】
しかしながら、このような構造の光ケーブル後分岐クロージャでは、切断された一方側の光ファイバ心線７ａとこれにつながる心線接続部１０と光ファイバ心線９及びその余長部９ａと、切断された他方側の光ファイバ心線７ｂとこれにつながる心線接続部１３と光ファイバ心線１２とその余長部１２ａが、何れかのトレイ６に収納されているので、どのトレイ６に所要の光ファイバ心線が収容されているのか判断しにくく、また一方の光ファイバ心線７ａに連なる光ファイバ心線９と他方の光ファイバ心線７ｂに連なる光ファイバ心線１２とが混線し易く、作業性が悪い問題点があった。
【０００８】
本発明の目的は、共通のベーストレイ上に総ての光ファイバ心線が収容され、しかも一方の光ファイバ心線に連なる光ファイバ心線と他方の光ファイバ心線に連なる光ファイバ心線とが混線しない光ケーブル後分岐クロージャを提供するものである。
【０００９】
本発明の他の目的は、共通のベーストレイ上の一方の余長部収納部と他方の心線接続部収納部とのスペースを共に広くとることができ、また一方の心線接続部収納トレイと他方の心線接続部収納トレイの大きさも大きくとることができる光ケーブル後分岐クロージャを提供するものである。
【００１０】
本発明の他の目的は、光ファイバ心線の接続替えまたは接続失敗の回数を増やすことができる光ケーブル後分岐クロージャを提供するものである。
【００１１】
本発明の他の目的は、一方の光ファイバ心線と他方の光ファイバ心線の長さが短くなって一方の心線接続部と他方の心線接続部の位置が変わってもこれに対応できる一方の心線接続部収納部と他方の心線接続部収納部とを備えた光ケーブル後分岐クロージャを提供するものである。
【００１２】
本発明の他の目的は、接続作業や接続替え作業の作業性のよい光ケーブル後分岐クロージャを提供するものである。
【００１３】
【課題を解決するための手段】
本発明は、幹線光ケーブル（２）の途中でシースが所定の長さ剥離され、露出されたケーブルコア（３）の中の特定の光ファイバ心線が切断され、切断された一方の光ファイバ心線（７ａ）の先端が一方の分岐光ケーブル（８）の光ファイバ心線（９）の余長部（９ａ）の先端に一方の心線接続部（１０）で接続され、切断された他方の光ファイバ心線（７ｂ）の先端が他方の分岐光ケーブル（１１）の光ファイバ心線（１２）の余長部（１２ａ）の先端に他方の心線接続部（１３）で接続され、露出されたケーブルコア（３）と一方及び他方の心線接続部（１０）及び（１３）と一方及び他方の光ファイバ心線の余長部（９ａ）及び（１２ａ）とが共通のクロージャケースの中に収納されている光ケーブル後分岐クロージャを改良するものである。
【００１４】
請求項１に記載の光ケーブル後分岐クロージャにおいては、クロージャケース内に、一方の心線接続部（１０）と一方の分岐光ケーブル（８）の光ファイバ心線（９）の余長部（９ａ）と他方の心線接続部（１３）と他方の分岐光ケーブル（１１）の光ファイバ心線（１２）の余長部（１２ａ）とに対して共通のベーストレイ（１８）が設けられて、該ベーストレイがその長手方向を露出されたケーブルコア（３）の長手方向とした状態で露出されたケーブルコア（３）に沿って配置されている。ベーストレイ（１８）内には、一方の心線接続部（１０）を収納する一方の心線接続部収納部（２１）と、一方の分岐光ケーブル（８）の光ファイバ心線（９）の余長部（９ａ）を収納する一方の余長部収納部（２２）と、他方の心線接続部（１３）を収納する他方の心線接続部収納部（２３）と、他方の分岐光ケーブルの光ファイバ心線（１２）の余長部（１２ａ）を収納する他方の余長部収納部（２４）とが別個に設けられ、一方の心線接続部収納部（２１）、一方の余長部収納部（２２）、他方の心線接続部収納部（２３）及び他方の余長部収納部（２４）は、一方の心線接続部収納部（２１）と一方の余長部収納部（２２）及び他方の心線接続部収納部（２３）と他方の余長部収納部（２４）がそれぞれベーストレイ（１８）の長手方向に位置を違えて配置され、かつ一方の心線接続部収納部（２１）と他方の余長部収納部（２４）及び前記他方の心線接続部収納部（２３）と一方の余長部収納部（２２）がそれぞれベーストレイ（１８）の前記長手方向に対して直角な幅方向に並んで配置されるように、それぞれの位置を違えて設けられている。
【００１５】
上記一方の心線接続部収納部（２１）は、ベーストレイ（１８）の底面に脚部（２７）を介して支持されて該底面から所定の距離離して配置された一方の心線接続部収納トレイ（２６）上に設けられ、他方の心線接続部収納部（２３）はベーストレイ（１８）の底面に脚部（３０）を介して支持されて該底面から所定の距離離して配置された他方の心線接続部収納トレイ（２９）上に設けられている。
【００１６】
本発明においてはまた、一方の心線接続部収納トレイ（２６）をベーストレイ上で他方の余長部収納部（２４）と反対側に倒すことができるように脚部（２７）にヒンジ部（２８）が設けられ、他方の心線接続部収納トレイ（２９）をベーストレイ上で一方の余長部収納部（２２）と反対側に倒すことができるように他方の脚部（３０）にヒンジ部（３１）が設けられている。
【００１７】
上記のように構成されていると、共通のベーストレイ上で、一方の光ファイバ心線に連なる光ファイバ心線と他方の光ファイバ心線に連なる光ファイバ心線とが混線しない光ケーブル後分岐クロージャを得ることができる。また、従来のようにケーブルコア収納部を特別に設けたり、これに多数のトレイを段積みしたりする必要がなく、構造の簡略化を図ることができる。
【００１８】
また上記のように構成されていると、一方の心線接続部収納部及び他方の心線接続部収納部が共通のベーストレイから離れて配置される結果、ベーストレイ上の一方の余長部収納部及び他方の余長部収納部のスペースを共に広くとることができ、また一方の心線接続部収納トレイ及び他方の心線接続部収納トレイの大きさも大きくとることができて、使い勝手がよくなる。
【００１９】
また上記のように、一方の心線接続部収納トレイをベーストレイ上で他方の余長部収納部と反対側に倒すことができるように脚部２７にヒンジ部２８を設けるとともに、他方の心線接続部収納トレイ（２９）をベーストレイ上で一方の余長部収納部（２２）と反対側に倒すことができるように他方の脚部（３０）にヒンジ部（３１）を設けておくと、一方の心線接続部収納トレイ及び他方の心線接続部収納トレイをそれぞれベーストレイ上で他方の余長部収納部と反対側及び一方の余長部収納部（２２）と反対側に倒すことができるため、これら心線接続部収納トレイが邪魔にならずに、接続作業や接続替え作業を行なうことができる。
【００２０】
請求項２に記載の光ケーブル後分岐クロージャでは、一方の心線接続部収納トレイ（２６）と他方の心線接続部収納トレイ（２９）が露出されたケーブルコア（３）に接近させてそれぞれ配置されている。
【００２１】
このように構成されていると、幹線光ケーブルにつながっている一方の光ファイバ心線と他方の光ファイバ心線とに長さのゆとりが生じるため、光ファイバ心線の接続替えまたは接続失敗の回数を増やすことができる。
【００２２】
請求項３に記載の光ケーブル後分岐クロージャでは、一方の心線接続部収納部（２１）と他方の心線接続部収納部（２３）が、一方の心線接続部（１０）と他方の心線接続部（１３）の配置位置を露出されたケーブルコア（３）の長手方向に沿って変更可能な長さをもっている。
【００２３】
このように構成されていると、一方の光ファイバ心線と他方の光ファイバ心線の長さが短くなって、一方の心線接続部と他方の心線接続部の位置が変わっても、一方の心線接続部収納部と他方の心線接続部収納部は、これに対応して一方の心線接続部と他方の心線接続部を収納することができる。
【００２４】
請求項４に記載の光ケーブル後分岐クロージャでは、一方の心線接続部収納部（２１）及び他方の心線接続部収納部（２３）が、ベーストレイ（１８）上でそれぞれケーブルコア（３）の長手方向に沿って移動可能な構造を有している。
【００２５】
このように構成されていると、一方の光ファイバ心線と他方の光ファイバ心線の長さが短くなって、一方の心線接続部と他方の心線接続部の位置が変わっても、一方の心線接続部収納部と他方の心線接続部収納部をこれに追従してケーブルコアの長手方向に沿って移動させることにより、一方の心線接続部及び他方の心線接続部をこれら一方の心線接続部収納部及び他方の心線接続部収納部に保持させることができる。
【００２６】
請求項５に記載の光ケーブル後分岐クロージャでは、請求項１，２，３または４に記載の光ケーブル後分岐クロージャにおいて、ベーストレイ（１８）が、露出されたケーブルコア（３）の長手方向の一端側及び他端側で幹線光ケーブル（２）に固定されている連結部材（１６）に対してベーストレイの幅方向にスライド可能に支持されている。
【００２７】
このように構成されていると、ベーストレイを連結部材に対して幅方向にスライドさせることにより、幹線光ケーブルからベーストレイを離して、接続作業や接続替え作業を作業性よく行なうことができる。
【００２８】
【発明の実施の形態】
図１（Ａ）（Ｂ）乃至図３は本発明に係る光ケーブル後分岐クロージャの参考構成例を示したもので、図１（Ａ）（Ｂ）は本例の光ケーブル後分岐クロージャにおける平面図及び正面図、図２（Ａ）（Ｂ）は図１（Ａ）（Ｂ）に示す光ケーブル後分岐クロージャでの心線接続部と光ファイバ心線の余長の収納状態を示す平面図及びベーストレイの縦断面図、図３は本例の光ケーブル後分岐クロージャでベーストレイを連結部材上でスライドさせた状態を示す平面図である。なお、前述した図１１（Ａ）〜（Ｃ）及び図１２と対応する部分には、同一符号を付けて示している。
【００２９】
本例の光ケーブル後分岐クロージャにおいては、クロージャケース（図示せず）内に、一方の心線接続部１０と一方の分岐光ケーブル８の光ファイバ心線９の余長部９ａと他方の心線接続部１３と他方の分岐光ケーブル１１の光ファイバ心線１２の余長部１２ａとに対して共通のベーストレイ１８が、その長手方向を露出されたケーブルコア３の長手方向とした状態で、露出されたケーブルコア３に沿って配置されている。このベーストレイ１８は、露出されたケーブルコア３の長手方向の両側でクランプ具１５により幹線光ケーブル１に固定された連結部材１６の上に載せられ、ベーストレイ１８の幅方向（長手方向に対して直角な方向）に形成された長孔１９に通されたネジ２０にて該連結部材１６上に固定され、ネジ２０を緩めることによりベーストレイ１８を連結部材１６に対して幅方向にスライドさせることができるようになっている。
【００３０】
ベーストレイ１８内には、一方の心線接続部１０を収納する一方の心線接続部収納部２１と一方の分岐光ケーブル８の光ファイバ心線９の余長部９ａを収納する一方の余長部収納部２２と、他方の心線接続部１３を収納する他方の心線接続部収納部２３と他方の分岐光ケーブル１１の光ファイバ心線１２の余長部１２ａを収納する他方の余長部収納部２４とが別個に、且つ一方の光ファイバ心線７ａ及びこれに連なる光ファイバ心線９と他方の光ファイバ心線７ｂ及びこれに連なる光ファイバ心線１２とが混線しないようにベーストレイ１８内幅方向に位置を違えて設けられている。心線接続部収納部２１，２３では、複数の心線接続部１０，１３をそれぞれ収容できるように複数の接続部収容溝２１ａ，２３ａが設けられている。本例では、一方の光ファイバ心線７ａ及びこれに連なる光ファイバ心線９と他方の光ファイバ心線７ｂ及びこれに連なる光ファイバ心線１２とが混線しないようにベーストレイ１８上に仕切り板２５が対角線方向に沿って立設されている。
【００３１】
このような光ケーブル後分岐クロージャでは、露出されたケーブルコア３の中の特定の光ファイバ心線を切断し、図２に示すように、切断された一方の光ファイバ心線７ａの先端を、一方の分岐光ケーブル８の光ファイバ心線９の余長部９ａの先端と一方の心線接続部１０で接続し、切断された他方の光ファイバ心線７ｂの先端を、他方の分岐光ケーブル１１の光ファイバ心線１２の余長部１２ａの先端と他方の心線接続部１３で接続する。一方の心線接続部１０は一方の心線接続部収納部２１の接続部収容溝２１ａに収納し、光ファイバ心線９の余長部９ａは一方の余長部収納部２２にループ状にして収納する。他方の心線接続部１３は他方の心線接続部収納部２３の接続部収容溝２３ａに収納し、光ファイバ心線１２の余長部１２ａは他方の余長部収納部２４にループ状にして収納する。
【００３２】
また、このような光ケーブル後分岐クロージャでは、図３に示すようにネジ２０を緩めて長孔１９に沿って共通のベーストレイ１８を連結部材１６上でその幅方向にスライドさせると、ケーブルコア３が邪魔にならずに、接続作業や余長の収納作業等を行なうことができる。
【００３３】
このような光ケーブル後分岐クロージャによれば、共通のベーストレイ１８上で、一方の光ファイバ心線７ａに連なる光ファイバ心線９と他方の光ファイバ心線７ｂに連なる光ファイバ心線１２とが混線しない光ケーブル後分岐クロージャを得ることができる。また、本例のように仕切り板２５を設けると、双方の光ファイバ心線の混線を確実に防止することができる。さらに、本例によれば、従来のように特別にケーブルコア収納部を設けたり、これに多数のトレイを段積みしたりする必要がなく、構造の簡略化を図ることができる。
【００３４】
図４（Ａ）〜（Ｃ）乃至図８は本発明に係る光ケーブル後分岐クロージャの実施の形態の一例を示したもので、図４（Ａ）（Ｂ）は本例の光ケーブル後分岐クロージャにおける平面図及び正面図、図４（Ｃ）は図４（Ｂ）のＸ−Ｘ線断面図、図５（Ａ）〜（Ｃ）は本例で用いている心線接続部収納トレイの平面図，正面図及び側面図、図６は本例の光ケーブル後分岐クロージャにおいて心線接続部収納部を退避させる動作を示す説明図、図７は図４（Ａ）に示す光ケーブル後分岐クロージャに心線接続部と光ファイバ心線の余長とを収納した状態を示す平面図、図８は本例の光ケーブル後分岐クロージャでベーストレイを連結部材上でスライドさせた状態を示す平面図である。なお、前述した図１（Ａ）〜（Ｃ）乃至図３と対応する部分には、同一符号を付けて示している。
【００３５】
本例の光ケーブル後分岐クロージャにおいては、クロージャケース（図示せず）内には露出されたケーブルコア３に沿って共通のベーストレイ１８が配置されている。このベーストレイ１８は、露出されたケーブルコア３の長手方向の両側でクランプ具１５により幹線光ケーブル１に固定された連結部材１６の上に載せられ、ベーストレイ１８の幅方向に形成された長孔１９に通されたネジ２０にて該連結部材１６上に固定され、ネジ２０を緩めることによりベーストレイ１８を連結部材１６に対して幅方向にスライドさせることができるようになっている。
【００３６】
ベーストレイ１８内には、一方の心線接続部１０を収納する一方の心線接続部収納部２１と一方の分岐光ケーブル８の光ファイバ心線９の余長部９ａを収納する一方の余長部収納部２２と、他方の心線接続部１３を収納する他方の心線接続部収納部２３と他方の分岐光ケーブル１１の光ファイバ心線１２の余長部１２ａを収納する他方の余長部収納部２４とが別個に、且つ一方の光ファイバ心線７ａ及びこれに連なる光ファイバ心線９と他方の光ファイバ心線７ｂ及びこれに連なる光ファイバ心線１２とが混線しないようにベーストレイ１８内幅方向に位置を違えて設けられている。即ち、図４（Ａ）から明らかなように、一方の心線接続部収納部２１、一方の余長部収納部２２、他方の心線接続部収納部２３及び他方の余長部収納部２４は、一方の心線接続部収納部２１と一方の余長部収納部２２及び他方の心線接続部収納部２３と他方の余長部収納部２４がそれぞれベーストレイ１８の長手方向に位置を違えて配置され、かつ一方の心線接続部収納部２１と他方の余長部収納部２４及び他方の心線接続部収納部２３と一方の余長部収納部２２がそれぞれベーストレイ１８の幅方向（長手方向に対して直交する方向）に並んで配置されるように、それぞれの位置を違えて設けられている。心線接続部収納部２１，２３では、複数の心線接続部１０，１３をそれぞれ収容できるように複数の接続部収容溝２１ａ，２３ａが設けられている。
【００３７】
特に、本例においては、一方の心線接続部収納部２１は、ベーストレイ１８上にその底面から所定の距離離して配置された一方の心線接続部収納トレイ２６上に設けられている。この心線接続部収納トレイ２６は、脚部２７でベーストレイ１８上に露出されたケーブルコア３に接近する高さで支えられている。脚部２７には、一方の心線接続部収納トレイ２６をベーストレイ１８上の幅方向の手前側に倒すヒンジ部２８が設けられている。他方の心線接続部収納部２３は、ベーストレイ２６上にその底面から所定の距離離して配置された他方の心線接続部収納トレイ２９上に設けられている。この心線接続部収納トレイ２９は、脚部３０でベーストレイ１８上に露出されたケーブルコア３に接近する高さで支えられている。脚部３０には、他方の心線接続部収納トレイ２９をベーストレイ１８上の幅方向の奥側に倒すヒンジ部３１が設けられている。
【００３８】
これら一方の心線接続部収納部２１と他方の心線接続部収納部２３は、一方の心線接続部１０と他方の心線接続部１３の配置位置を、露出されたケーブルコア３の長手方向に沿って変更可能な長さをもっている。即ち、複数の接続部収容溝２１ａ，２３ａが、心線接続部１０，１３を露出されたケーブルコア３の長手方向に沿って移動可能な長さになっている。
【００３９】
このような光ケーブル後分岐クロージャでは、露出されたケーブルコア３の中の特定の光ファイバ心線を切断し、図７に示すように、切断された一方の光ファイバ心線７ａの先端を、一方の分岐光ケーブル８の光ファイバ心線９の余長部９ａの先端と一方の心線接続部１０で接続し、切断された他方の光ファイバ心線７ｂの先端を、他方の分岐光ケーブル１１の光ファイバ心線１２の余長部１２ａの先端と他方の心線接続部１３で接続する。一方の心線接続部１０は一方の心線接続部収納トレイ２６上の一方の心線接続部収納部２１における接続部収容溝２１ａに収納し、光ファイバ心線９の余長部９ａはベーストレイ１８上の一方の余長部収納部２２にループ状にして収納する。他方の心線接続部１３は他方の心線接続部収納トレイ２９上の他方の心線接続部収納部２３における接続部収容溝２３ａに収納し、光ファイバ心線１２の余長部１２ａはベーストレイ１８上の他方の余長部収納部２４にループ状にして収納する。この場合、心線接続部収納トレイ２６，２９はベーストレイ１８から離れて上方に存在するので、ベーストレイ１８上の心線接続部収納部２１，２３は広くなっている。
【００４０】
また、このような光ケーブル後分岐クロージャでは、図８に示すようにネジ２０を緩めて長孔１９に沿って共通のベーストレイ１８を連結部材１６上でその幅方向にスライドさせて作業を行なう。このようにすると、ケーブルコア３が邪魔にならずに、接続作業や余長の収納作業等を行なうことができる。
【００４１】
この際に、心線接続部収納トレイ２６，２９をヒンジ部２８，２９でベーストレイ１８から幅方向の外側に倒す。これにより、これら心線接続部収納トレイ２６，２９が邪魔にならずに、接続作業や接続替え作業を作業性よく行なうことができる。
【００４２】
また、光ファイバ心線の接続替えまたは接続失敗の回数が増えると、切断された一方の光ファイバ心線７ａと他方の光ファイバ心線７ｂの長さがだんだん短くなってくる。これにつれて一方の心線接続部１０の位置は図７で左側に移動し、他方の心線接続部１３の位置は図７で右側に移動する。このように心線接続部１０，１３の位置が露出されたケーブルコア３の長手方向に移動しても、一方の心線接続部収納トレイ２６と他方の心線接続部収納トレイ２９の長さが露出されたケーブルコア３の長手方向に長くなっているので、心線接続部１０，１３が移動した位置にこれら心線接続部１０，１３を保持することができる。
【００４３】
また、一方の心線接続部収納トレイ２６と他方の心線接続部収納トレイ２９は、露出されたケーブルコア３に接近する高さで支持されているので、その分だけ一方の光ファイバ心線７ａと他方の光ファイバ心線７ｂの長さにゆとりが生じて、光ファイバ心線の接続替えまたは接続失敗の回数を増やすことができる。
【００４４】
図９（Ａ）（Ｂ）及び図１０（Ａ）（Ｂ）は本発明に係る光ケーブル後分岐クロージャの他の実施の形態を示したもので、図９（Ａ）（Ｂ）は本例の光ケーブル後分岐クロージャで心線接続部収納トレイをケーブルコアの長手方向に沿って移動させる前の状態を示す正面図及び側面図、図１０（Ａ）（Ｂ）は本例の光ケーブル後分岐クロージャで心線接続部収納トレイをケーブルコアの長手方向に沿って移動させた後の状態を示す正面図及び側面図である。
【００４５】
本例の光ケーブル後分岐クロージャでは、共通のベーストレイ１８の長手方向に沿って平行対板よりなる脚ホルダー３２が脚部２７，３０に対応してそれぞれ立設され、これら脚ホルダー３２の所要の位置に脚部２７，３０が差し込まれ、脚部２７，３０の突起３３が脚ホルダー３２の複数の窓３４の１つに差し込まれて保持されるようになっている。心線接続部収納トレイ２６，２９には、前述したと同様に心線接続部収納部２１，２３が幅方向に位置を違えた複数の接続部収容溝２１ａ，２３ａをケーブルコア３の長手方向に沿って設けて形成されている。
【００４６】
このようになっていると、心線接続部収納トレイ２６，２９をケーブルコア３の長手方向に沿って移動させることができる。このため光ファイバ心線の接続替えまたは接続失敗等で光ファイバ心線７ａ，７ｂの長さが短くなって心線接続部１０，１３の位置が変わっても心線接続部収納トレイ２６，２９に保持させることができる。この場合、心線接続部収納トレイ２６，２９はケーブルコア３の長手方向に沿った長さが短くても、長くてもいずれでもよい。
【００４７】
なお、平行対板よりなる脚ホルダー３２は、平行対板間の圧力だけで脚部２７，３０を保持する構造であってもよい。
【００４８】
【発明の効果】
本発明の光ケーブル後分岐クロージャにおいては、共通のベーストレイ内に、一方の心線接続部を収納する一方の心線接続部収納部と一方の分岐光ケーブルの光ファイバ心線の余長部を収納する一方の余長部収納部と他方の心線接続部を収納する他方の心線接続部収納部と他方の分岐光ケーブルの光ファイバ心線の余長部を収納する他方の余長部収納部とを別個に、且つ一方の光ファイバ心線及びこれに連なる光ファイバ心線と他方の光ファイバ心線及びこれに連なる光ファイバ心線とが混線しないようにベーストレイ内で位置を違えて設けているので、共通のベーストレイ上で、一方の光ファイバ心線に連なる光ファイバ心線と他方の光ファイバ心線に連なる光ファイバ心線とが混線しない光ケーブル後分岐クロージャを得ることができる。また、従来のようにケーブルコア収納部を特別に設けたり、これに多数のトレイを段積みしたりする必要がなく、構造の簡略化を図ることができる。
【００４９】
本発明に係わる光ケーブル後分岐クロージャでは、一方の心線接続部収納部をベーストレイ上にその底面から所定の距離離して配置された一方の心線接続部収納トレイ上に設け、他方の心線接続部収納部をベーストレイ上にその底面から所定の距離離して配置された他方の心線接続部収納トレイ上に設けたので、ベーストレイ上の一方の余長部収納部及び他方の余長部収納部のスペースを共に広くとることができ、また一方の心線接続部収納トレイと他方の心線接続部収納トレイの大きさも大きくとることができ、使い勝手がよくなる。
【００５０】
本発明に係わる光ケーブル後分岐クロージャは、一方の心線接続部収納トレイ及び他方の心線接続部収納トレイをそれぞれベーストレイ上で他方の余長部収納部及び一方の余長部収納部と反対側に倒すことができるように構成されているので、これら一方の心線接続部収納トレイ及び他方の心線接続部収納トレイを倒すことにより、これら心線接続部収納トレイに邪魔されずに、接続作業や接続替え作業を作業性よく行なうことができる。
【００５１】
特に請求項２に記載の光ケーブル後分岐クロージャでは、一方の心線接続部収納トレイと他方の心線接続部収納トレイを、露出されたケーブルコアに接近させてそれぞれ配置しているので、幹線光ケーブルにつながっている一方の光ファイバ心線と他方の光ファイバ心線とに長さのゆとりを生じさせて、光ファイバ心線の接続替えまたは接続失敗の許容回数を増やすことができる。
【００５２】
請求項３に記載の光ケーブル後分岐クロージャでは、一方の心線接続部収納部と他方の心線接続部収納部が、一方の心線接続部と他方の心線接続部の配置位置を露出されたケーブルコアの長手方向に沿って変更可能な長さをもっているので、一方の光ファイバ心線及び他方の光ファイバ心線の長さが短くなって、一方の心線接続部及び他方の心線接続部の位置が変わっても、これに対応して、該一方の心線接続部及び他方の心線接続部をそれぞれ一方の心線接続部収納部及び他方の心線接続部収納部に収納することができる。
【００５３】
請求項４に記載の光ケーブル後分岐クロージャでは、一方の心線接続部収納部と他方の心線接続部収納部がベーストレイ上でそれぞれケーブルコアの長手方向に沿って移動可能に支持されているので、一方の光ファイバ心線と他方の光ファイバ心線の長さが短くなって、一方の心線接続部と他方の心線接続部の位置が変わっても、一方の心線接続部収納部と他方の心線接続部収納部がこれに追従してケーブルコアの長手方向に沿って移動することにより、一方の心線接続部と他方の心線接続部をこれら一方の心線接続部収納部と他方の心線接続部収納部に保持させることができる。
【００５４】
請求項５に記載の光ケーブル後分岐クロージャでは、ベーストレイが、露出されたケーブルコアの長手方向の両側で幹線光ケーブルにそれぞれ固定されている連結部材に対して幅方向にスライド可能に支持されているので、ベーストレイを連結部材に対して幅方向にスライドさせることにより、幹線光ケーブルからベーストレイを離して、接続作業や接続替え作業を作業性よく行なうことができる。
【図面の簡単な説明】
【図１】  （Ａ）（Ｂ）は本発明に係る光ケーブル後分岐クロージャの参考構成例を示した平面図及び正面図である。
【図２】  （Ａ）（Ｂ）は図１（Ａ）（Ｂ）に示す光ケーブル後分岐クロージャでの心線接続部と光ファイバ心線の余長の収納状態を示す平面図及びベーストレイの縦断面図である。
【図３】  本例の光ケーブル後分岐クロージャでベーストレイを連結部材上でスライドさせた状態を示す平面図である。
【図４】  （Ａ）（Ｂ）は本発明に係る光ケーブル後分岐クロージャの実施の形態を示した平面図及び正面図、（Ｃ）は（Ｂ）のＸ−Ｘ線断面図である。
【図５】  （Ａ）〜（Ｃ）は本例で用いている心線接続部収納トレイの平面図，正面図及び側面図である。
【図６】  本例の光ケーブル後分岐クロージャにおける心線接続部収納部を退避させる構造を示す横断面図である。
【図７】  図４（Ａ）に示す光ケーブル後分岐クロージャに心線接続部と光ファイバ心線の余長とを収納した状態を示す平面図である。
【図８】  本例の光ケーブル後分岐クロージャでベーストレイを連結部材上でスライドさせた状態を示す平面図である。
【図９】  （Ａ）（Ｂ）は本発明に係る光ケーブル後分岐クロージャの他の実施の形態を示したもので、心線接続部収納トレイをケーブルコアの長手方向に沿って移動させる前の状態を示す正面図及び側面図である。
【図１０】  （Ａ）（Ｂ）は本例の光ケーブル後分岐クロージャで心線接続部収納トレイをケーブルコアの長手方向に沿って移動させた後の状態を示す正面図及び側面図である。
【図１１】  （Ａ）（Ｂ）は従来の光ケーブル後分岐クロージャを示した平面図及び正面図である。
【図１２】  図１１（Ａ）に示す光ケーブル後分岐クロージャでの心線接続部と光ファイバ心線の余長の収納状態を示す平面図である。
【符号の説明】
１  幹線光ケーブル
２  シース
３  ケーブルコア
４  ケーブルコア収納部
５  蝶番
６  トレイ
７ａ  一方の光ファイバ心線
７ｂ  他方の光ファイバ心線
８  一方の分岐光ケーブル
９  光ファイバ心線
９ａ  余長部
１０  一方の心線接続部
１１  他方の分岐光ケーブル
１２  光ファイバ心線
１２ａ  余長部
１３  他方の心線接続部
１４  スペーサロッド
１５  クランプ具
１６  連結部材
１７  台座
１８  共通のベーストレイ
１９  長孔
２０  ネジ
２１  一方の心線接続部収納部
２１ａ  接続部収容溝
２２  一方の余長部収納部
２３  他方の心線接続部収納部
２３ａ  接続部収容溝
２４  他方の余長部収納部
２５  仕切り板
２６  一方の心線接続部収納トレイ
２７  脚部
２８  ヒンジ部
２９  他方の心線接続部収納トレイ
３０  脚部
３１  ヒンジ部
３２  脚ホルダー
３３  突起
３４  窓
【図１】
0004142226.tif 000002
【図２】
0004142226.tif 000003
【図３】
0004142226.tif 000004
【図４】
0004142226.tif 000005
【図５】
0004142226.tif 000006
【図６】
0004142226.tif 000007
【図７】
0004142226.tif 000008
【図８】
0004142226.tif 000009
【図９】
0004142226.tif 000010
【図１０】
0004142226.tif 000011
【図１１】
0004142226.tif 000012
【図１２】
0004142226.tif 000013